(57)【要約】【課題】工場出荷の段階で、短時間に正確な検査が望まれ、またサービス機関ではそれに加えて高価な測定器がなくても動作状態を診断できることが望まれる。【解決手段】検査者は動作モード選択器１２で工場用の自己診断モードかサービス用の自己診断モードかを選択する。自己診断モードに入り、制御部１１は、操作キー９の診断フェーズ、安定化電源８の診断フェーズ、ＰＬＬ回路１３の診断フェーズ、デジタル信号処理部３の診断フェーズ、受信感度の診断フェーズと進行し、検査者のキー操作や各部の動作等をチェックし、不良個所があれば表示器１０でその箇所を表示する。【選択図】図１
2005192066.tif 000002
【特許請求の範囲】
【請求項１】
複数のオーディオデータサービスに基づいて生成されるトランスミッションフレームが構成された後、直交周波数分割多重変調することにより生成されたデジタル音声放送信号に対して所定の処理を行って、音声を出力するＤＡＢ受信機であって、
前記ＤＡＢ受信機は、ＰＬＬ回路と、前記ＰＬＬ回路の同期が確立されているか否かを検出するＰＬＬ同期検出器とを有し、前記ＰＬＬ回路により周波数が任意に調整される局部発振出力を用いて、予め定められたＤＡＢ周波数帯に含まれる任意の受信周波数の入力信号をダウンコンバートして中間周波数帯の信号を生成するするチューナと、
前記チューナにより生成された中間周波数帯の信号を直交周波数分割多重復調して、トランスミッションフレームを再生するＯＦＤＭ復調器と、前記ＯＦＤＭ復調器により再生されたトランスミッションフレームの先頭を検出するフレーム同期処理を行った後、前記トランスミッションフレ−ムを生成しているファストインフォメーションチャンネルと複数のオーディオデータサービスから生成されているメインサービスチャンネルとを再生し、メインサービスチャンネルの先頭を検出し同期処理を行った後に、当該メインサービスチャンネルから所定のオーディオデータサービスを選択するＣＨ復号器とを有するデジタル信号処理部と、
前記デジタル信号処理部のＣＨ復号器から出力されたオーディオデータサービスを元のアナログ音声信号に復元して出力するＤＡ変換器と、
自己診断モードを制御する制御部と、
前記制御部による診断結果を表示器等により通知する通知部とを備え、
前記制御部は、自己診断モードにおいて、前記ＯＦＤＭ復調器等との制御データ通信系統が正常か否かを診断し、正常である場合は、前記チューナを所定の受信周波数となるよう制御した後に、前記ＰＬＬ同期検出器の検出結果に基づいて、前記ＰＬＬ回路が正常か異常かを診断し、前記ＰＬＬ回路が正常である場合、前記ＣＨ復号器のフレーム同期処理が正常か異常かを診断し、前記ＣＨ復号器のフレーム同期が正常と診断した場合、当該診断の結果を前記通知部へ通知し、
前記制御データ通信系統、ＰＬＬ回路、ＯＦＤＭ復調器およびＣＨ復号器が異常であると診断された場合、当該診断の結果を前記通知部に通知することを特徴とする自己診断機能を有するＤＡＢ受信機。
【請求項２】
外部から操作されると当該操作に基づく信号を前記制御部へ出力する複数の操作キーをさらに含み、
前記制御部は、自己診断モードにおいて、前記制御デ−タ通信系統、ＰＬＬ回路、ＯＦＤＭ復調器およびＣＨ復号器の診断動作と並行して前記操作キーからの出力信号に基づいて、当該操作キーが正常に操作されたか否かを診断し、前記複数の操作キーの中から異常があると診断された場合、当該診断の結果を前記通知部に通知し、
前記操作キー全てが正常であると診断された場合、当該診断の結果を前記通知部に通知する事を特徴とする請求項１記載の自己診断機能を有するＤＡＢ受信機。
【請求項３】
前記ＯＦＤＭ復調器への入力信号に含まれるデジタル信号のエラーレート値を検出するビタビ復号器をさらに含み、
前記制御部は、自己診断モードにおいて、さらに、前記ＯＦＤＭ復調器において同期が確立された後に、前記ビタビ復号器により検出されたエラーレート値を所定回数取り込み、取り込んだエラーレート値の平均値が予め定められたしきい値以上か否かに基づいて、受信感度の良し悪しを診断した後、受信感度が悪いと判断された場合、当該診断の結果を前記通知部に通知し、
受信感度が良いと判断された場合、当該判断の結果を前記通知部へ通知することを特徴とする請求項１記載の自己診断機能を有するＤＡＢ受信機。
【請求項４】
供給された電源電圧を安定化して、前記チューナ、ＯＦＤＭ復調器およびＣＨ復号器及びビタビ復号器等のそれぞれを駆動するための駆動電圧を生成する１つ以上の安定化電源部をさらに含み、
前記制御部は、自己診断モードにおいて、さらに、前記安定化電源部により生成される各駆動電圧の値が予め定められた電圧範囲内に入っているか否かに基づいて、当該安定化電源部が正常か異常かを診断し、その結果を通知部へ通知することを特徴とする請求項１記載の自己診断機能を有するＤＡＢ受信機。
【請求項５】
前記自己診断モードにおける前記制御部が行う診断シ−ケンスは、まず前記安定化電源部の診断、次に前記制御データ通信系統、ＰＬＬ回路、ＯＦＤＭ復調器およびＣＨ復号器を診断、次に前記受信感度の診断の順で行い、診断結果が全て正常の場合、前記通知部へ正常通知を知らしめると同時に、前記ＤＡ変換器を動作させ元の音声信号を出力させ、
上記診断シ−ケンス中に異常と診断された場合は異常箇所を前記通知部へ知らしめることを特徴とする請求項１記載の自己診断機能を有するＤＡＢ受信機。
【請求項６】
受信機は、地上波デジタル放送信号を模擬した信号を発生する信号発生器をチューナに接続できるように構成され、前記チューナは自己診断モードにおいて、信号発生器により発生される模擬信号をダウンコンバートして中間周波数帯の信号を生成することを特徴とする請求項１から５のいずれか１に記載の自己診断機能を有するＤＡＢ受信機。
【請求項７】
受信機は、地上波デジタル放送信号をより確実に受信するために、アンテナをチューナに接続できるように構成され、前記チューナは自己診断モードにおいて、アンテナを通じて入力されるデジタル放送信号をダウンコンバートして中間周波数帯の信号を生成することを特徴とする請求項１から５のいずれか１に記載の自己診断機能を有するＤＡＢ受信機。
【発明の詳細な説明】
【技術分野】
【０００１】
本発明は、地上波デジタル音声放送用の受信機に関し、より特定的には自身を構成する各部の動作が正常か異常かを自己診断して、当該診断の結果を検査者に通知するＤＡＢ受信機に関する。
【背景技術】
【０００２】
近年、欧米を中心に地上波デジタル音声放送（Ｄｉｇｉｔａｌ  Ａｕｄｉｏ  Ｂｒｏａｄｃａｓｔｉｎｇ：以下ＤＡＢ）を提供するプロジェクトが盛んになりつつある。かかるプロジェクトの一つである欧州のＤＡＢ（Ｅｕｒｅｋａ１４７）は、ほぼ西欧諸国全体をサービスエリアとする。また、当システムはカナダや一部アジア諸国にも徐々に広がりつつある。
【０００３】
ここで音声デジタル放送の周知の技術の概略を説明する。
【０００４】
（１）トランスミッションフレームＴｆの生成
まず、デジタルのオーディオデータが、ｎサービス分生成される。各オーディオデータは、ＭＰＥＧ１  Ａｕｄｉｏ  Ｌａｙｅｒ  ２（以下、ＭＰ２と略記する）によりデジタル圧縮される。ＭＰ２圧縮された各オーディオデータは、図２に示されるように、一定時間Ｔ１ 毎に繰り返されるトランスミッションフレーム（Ｔｆ）になるように符号化される。これによって、ｎサービス分のＴｆが生成される。各Ｔｆは、同期ＣＨと、ファストインフォメーションチャンネル（ＦＩＣ）と、メインサービスチャンネル（ＭＳＣ）を含む。同期ＣＨは、Ｔｆの先頭、つまりＦＩＣとＭＳＣの前に付加され、時間同期・ＡＦＣや差動復調用の基準シンボルを伝送する。ＦＩＣは、伝送するサービスの多重構成、ラベル等の情報を示す。ＭＳＣは音楽情報、ダイナミックラベルや画像、ＨＴＭＬ文書等のデータを表現する。
【０００５】
（２）直交周波数分割多重変調（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：以下ＯＦＤＭ）および送信
次に、上記（１）で生成された各トランスミッションフレームＴｆを用いて、デジタル周波数変調が行われる。デジタル周波数変調方式は、上述のＯＦＤＭである。これによって生成された信号は、ＢＡＮＤＩＩＩ（２００ＭＨｚ帯）もしくはＬバンド帯（１．５ＧＨｚ帯）のデジタル放送信号ＳDBとして、地上ＤＡＢ放送局アンテナからサービスエリアに向けて送出される。
【０００６】
（３）従来のＤＡＢ受信機の一例
地上波デジタル音声放送受信機は、高周波アナログ信号を受信、中間周波数までダウンコンバートし、その限定されたデジタル信号フォーマットを復調する技術など複雑なプロセスを経由して音声信号が再生される。よってメーカにおける工場出荷前の品質検査には時間と技術を要するばかりでなく、生産ラインでの不良修理や、故障した受信機を受け付けるサービスセンタにおける不良修理は困難であり、電気回路基板そのものの部品交換か、受信機そのものを新品交換せざるを得ないことが多い。
【０００７】
（４）従来の特許出願例
衛星放送信号用のデータフォーマット、変調方式に対応した受信機に関し、自身を構成する各部が正常か異常かを診断して、当該診断の結果を検査者に通知する自己診断モードを有する受信機として、特開２０００−３４１１６０号公報記載のものがある。
【０００８】
またデジタル放送受信機の不具合を監視し、不具合と判別した場合にその情報を記憶部に記憶し、過去数ステップの使用者の操作履歴を操作情報として記憶、これらの情報をデジタル放送の課金情報等を放送局側へ送信する手段を利用して伝送するシステムとして、特開２００３−４６８８９号公報記載のものがある。
【特許文献１】特開２０００−３４１１６０号公報
【特許文献２】特開２００３−４６８８９号公報
【発明の開示】
【発明が解決しようとする課題】
【０００９】
ＤＡＢ受信機は、以上のデジタル音声放送信号ＳDBに対して、放送側とは逆の処理手順を行って、必要なオーディオ又はデータを再生する。しかし、これらの受信機は、工場出荷の段階で、一定水準の品質を確保していなければならない。そのため、メーカは、工場出荷の直前に、受信機に対して品質検査（動作状態の検査）を行う。この品質検査は短い作業時間で正確に行われることが望まれる、という課題があった。
【００１０】
また、受信機は、ユーザが使っている最中に故障する場合がある。この場合、ユーザは、近所にあるサービスセンタ等に、故障した受信機を持ち込む。サービスセンタでは、受信機の故障個所を見つけるために、当該受信機の動作状態を検査する。この動作状態の検査もまた、短い作業時間で正確に行われることが望まれる、という課題があった。
【００１１】
また、上記検査では、各種の検査機器が使用される。この検査機器の１つに信号発生器がある。信号発生器は、検査対象の受信機アンテナ端子に接続され、上述したデジタル放送信号ＳDBを模擬した信号ＳSUMを発生する。メーカまたはサービスセンタの検査者は、信号発生器からの模擬信号ＳSUMに対する受信機の振る舞いを参照して、当該受信機の異常箇所を見つけるように努める。しかし、検査機器、特に信号発生器は非常に高価である。そのため、サービスセンタによっては、設備投資を削減する観点から、信号発生器を必要とすることなく、その動作状態を診断できる受信機が望まれる、という課題があった。
【００１２】
それゆえに、本発明の目的は、自身を構成する各部が正常か否かを確実かつ高速に診断することができる受信機を提供することであり、本発明の他の目的は、高額の設備投資を要することなく、自身の構成各部が正常か異常かを診断することができる受信機を提供することである。
【課題を解決するための手段】
【００１３】
上記各目的は、以下の各発明により解決される。自己診断機能を有するＤＡＢ受信機の第１の発明は、複数のオーディオデータサービスに基づいて生成されるトランスミッションフレームが構成された後、ＯＦＤＭ直交周波数分割多重）変調することにより生成されたデジタル音声放送信号に対して所定の処理を行って、音声を出力するＤＡＢ受信機であって、前記ＤＡＢ受信機は、ＰＬＬ回路と、前記ＰＬＬ回路の同期が確立されているか否かを検出するＰＬＬ同期検出器とを有し、前記ＰＬＬ回路により周波数が任意に調整される局部発振出力を用いて、予め定められたＤＡＢ周波数帯に含まれる任意の受信周波数の入力信号をダウンコンバートして中間周波数帯の信号を生成するするチューナと、前記チューナにより生成された中間周波数帯の信号をＯＦＤＭ復調して、トランスミッションフレームを再生するＯＦＤＭ復調器と、前記ＯＦＤＭ復調器により再生されたトランスミッションフレームの先頭を検出するフレーム同期処理を行った後、前記トランスミッションフレ−ムを生成しているファストインフォメーションチャンネルと複数のオーディオデータサービスから生成されているメインサービスチャンネルとを再生し、メインサービスチャンネルの先頭を検出し同期処理を行った後に、当該メインサービスチャンネルから所定のオーディオデータサービスを選択するＣＨ復号器とを有するデジタル信号処理部と、前記デジタル信号処理部のＣＨ復号器から出力されたオーディオデータサービスを元のアナログ音声信号に復元して出力するＤＡ変換器と、自己診断モードを制御する制御部と、前記制御部による診断結果を表示器等により通知する通知部とを備え、前記制御部は、自己診断モードにおいて、前記ＯＦＤＭ復調器等との制御データ通信系統が正常か否かを診断し、正常である場合は、前記チューナを所定の受信周波数となるよう制御した後に、前記ＰＬＬ同期検出器の検出結果に基づいて、前記ＰＬＬ回路が正常か異常かを診断し、前記ＰＬＬ回路が正常である場合、前記ＣＨ復号器のフレーム同期処理が正常か異常かを診断し、前記ＣＨ復号器のフレーム同期が正常と診断した場合、当該診断の結果を前記通知部へ通知し、前記制御データ通信系統、ＰＬＬ回路、ＯＦＤＭ復調器およびＣＨ復号器が異常であると診断された場合、当該診断の結果を前記通知部に通知することを特徴とする。
【００１４】
第２の発明は第１の発明に従属しており、外部から操作されると当該操作に基づく信号を前記制御部へ出力する複数の操作キーをさらに含み、前記制御部は、自己診断モードにおいて、前記制御デ−タ通信系統、ＰＬＬ回路、ＯＦＤＭ復調器およびＣＨ復号器の診断動作と並行して前記操作キーからの出力信号に基づいて、当該操作キーが正常に操作されたか否かを診断し、前記複数の操作キーの中から異常があると診断された場合、当該診断の結果を前記通知部に通知し、前記操作キー全てが正常であると診断された場合、当該診断の結果を前記通知部に通知する事を特徴とするものである。
【００１５】
第３の発明は第１の発明に従属しており、前記ＯＦＤＭ復調器への入力信号に含まれるデジタル信号のエラーレート値を検出するビタビ復号器をさらに含み、前記制御部は、自己診断モードにおいて、さらに、前記ＯＦＤＭ復調器において同期が確立された後に、前記ビタビ復号器により検出されたエラーレート値を所定回数取り込み、取り込んだエラーレート値の平均値が予め定められたしきい値以上か否かに基づいて、受信感度の良し悪しを診断した後、受信感度が悪いと判断された場合、当該診断の結果を前記通知部に通知し、受信感度が良いと判断された場合、当該判断の結果を前記通知部へ通知することを特徴とする。
【００１６】
第４の発明は第１の発明に従属しており、供給された電源電圧を安定化して、前記チューナ、ＯＦＤＭ復調器およびＣＨ復号器及びビタビ復号器等のそれぞれを駆動するための駆動電圧を生成する１つ以上の安定化電源部をさらに含み、前記制御部は、自己診断モードにおいて、さらに、前記安定化電源部により生成される各駆動電圧の値が予め定められた電圧範囲内に入っているか否かに基づいて、当該安定化電源部が正常か異常かを診断し、その結果を通知部へ通知することを特徴とする。
【００１７】
第５の発明は第１の発明に従属しており、前記自己診断モードにおける前記制御部が行う診断シ−ケンスは、まず前記安定化電源部の診断、次に前記制御データ通信系統、ＰＬＬ回路、ＯＦＤＭ復調器およびＣＨ復号器を診断、次に前記受信感度の診断の順で行い、診断結果が全て正常の場合、前記通知部へ正常通知を知らしめると同時に、前記ＤＡ変換器を動作させ元の音声信号を出力させ、上記診断シ−ケンス中に異常と診断された場合は異常箇所を前記通知部へ知らしめることを特徴とする。
【００１８】
第６の発明は、第１から第５の発明に従属しており、受信機は地上波デジタル放送信号を模擬した信号を発生する信号発生器をチューナに接続できるように構成され、チューナは自己診断モードにおいて、信号発生器により発生される模擬信号をダウンコンバートして中間周波数帯の信号を生成する。
【００１９】
第７の発明は、第１から第５の発明に従属しており、受信機は、地上波デジタル放送信号をより確実に受信するために、アンテナをチューナに接続できるように構成されており、チューナは、自己診断モードにおいて、アンテナを通じて入力されるデジタル放送信号をダウンコンバートして、中間周波数帯の信号を生成する。
【発明の効果】
【００２０】
第１の発明によれば、受信機は、ＯＦＤＭ変調に基づいて生成されるデジタル音声放送信号を受信して、音声を出力する。制御部は、受信機の構成各部が正常か異常かを診断し、通知部は、制御部の診断結果を外部に出力する。これによって、受信機は、上記デジタル音声放送信号を受信し音声出力するための各構成の自己診断を、高速かつ確実に行うことができる。
【００２１】
第２の発明によれば、受信機では、全操作キーが正常か異常かが診断され、これによって、受信機は、さらにきめ細かく自己診断を行うことができる。
【００２２】
第３の発明によれば、受信機では、受信感度が正常か異常かが診断される。これによって、受信機は、さらにきめ細かく自己診断を行うことができる。
【００２３】
第４の発明によれば、受信機では、安定化電源部が正常か異常かが診断される。これによって、受信機は、さらにきめ細かく自己診断を行うことができる。
【００２４】
第５の発明によれば、受信機は安定化電源部の診断、次に制御データ通信系統、ＰＬＬ回路、ＯＦＤＭ復調器およびＣＨ復号器の診断、次に受信感度の診断の順で各部の動作が正常か異常かが診断される。これによって、受信機は、さらにきめ細かく自己診断を行うことができる。
【００２５】
第６の発明によれば、自己診断モードは、周知のように多種多様な模擬信号を生成することができる信号発生器により生成される模擬信号に基づいて行われる。これによって、受信機の自己診断モードはより厳密に行うことができるようになる。
【００２６】
第７の発明によれば、自己診断モードにおいても、地上波デジタル放送信号が用いられる。したがって、受信機は、第６の発明において述べた高価な信号発生器を用いることなく自己診断モードを実行することができる。これによって、受信機に関連して必要となる設備投資を削減することができる。
【発明を実施するための最良の形態】
【００２７】
図１は、本発明の一実施形態に係る受信機Ｒｘの全体構成を示すブロック図 、図２は同トランスミッションフレームのデータ構造を示す図、図３は同図１の電圧検出器の構成を示すブロック図、図４は同制御部が実行する操作キーの診断フェーズの処理手順を示すフローチャート、図５は同制御部が実行する安定化電源部の診断フェーズの処理手順を示すフローチャート、図６（ａ）は同制御部が実行するＰＬＬ回路の診断フェーズの処理手順を示すフローチャート、（ｂ）はＤＡＢ受信機の周波数範囲を示す図、図７は同制御部が実行する信号処理部の処理手順を示すフローチャート、図８は同制御部が実行する受信感度の診断フェーズの処理手順を示すフローチャートである。
【００２８】
図１において、受信機Ｒｘは、入力端子１と、予め定められたＤＡＢ周波数帯に含まれる任意の受信周波数の入力信号をダウンコンバートして中間周波数帯の信号を生成するチューナ２と、デジタル信号処理部３と、デジタル信号処理部３から出力されたオーディオデータサービスを元のアナログ音声信号に復元して出力するＤ／Ａ変換器４と、低周波アンプ５と、スピーカ６と、電源７と、安定化電源部８と、外部から操作されると当該操作に基づく信号を出力する複数の操作キー９と、診断結果を表示する表示器１０と、自己診断モードを制御する制御部１１と、動作モード選択器１２とを備える。
【００２９】
チューナ２には、周波数が任意に調整されるＰＬＬ回路１３と、ＰＬＬ回路１３の同期が確立されているか否かを検出するＰＬＬ同期検出器１４等を含む。なお、チューナ２は、他にも、周波数選択のためのフィルタ並びに、ダウンコンバートのためのミキサおよび局部発振器を含む。しかし、フィルタ、ミキサおよび局部発振器は、本願に特有の自己診断モード（後述）の本質には直接関係ないため、図示されない。
【００３０】
デジタル信号処理部３は、チューナ２により生成された中間周波数帯の信号をＯＦＤＭ復調して、トランスミッションフレームを再生するＯＦＤＭ復調器１５と、デインターリーバ１６と、ＯＦＤＭ復調器への入力信号に含まれるデジタル信号のエラーレート値を検出するビタビ復号器１７と、ＯＦＤＭ復調器１５により再生されたトランスミッションフレームの先頭を検出するフレーム同期処理を行った後、トランスミッションフレ−ムを生成しているファストインフォメーションチャンネルと複数のオーディオデータサービスから生成されているメインサービスチャンネルとを再生し、メインサービスチャンネルの先頭を検出し同期処理を行った後に、当該メインサービスチャンネルから所定のオーディオデータサービスを選択するＣＨ復号器１８と、ＭＰＥＧ複号器１９とを含む。
【００３１】
制御部１１は、電圧検出器２０を含み、動作モード選択器１２による選択に応じて、「工場用の自己診断モード」、「通常動作モード」または「サービス用の自己診断モード」を実行する。
【００３２】
以下、図４〜図８のフローチャートを参照して、工場用の自己診断モード、通常動作モード、サービス用の自己診断モードの順番で、各モードを説明する。
【００３３】
１．工場用の自己診断モード
まず、工場の検査者は、図４における出荷段階の品質検査における一工程としての工場用の自己診断モードのステップ４０１の準備を行う。検査者は、信号発生器（図示せず）を入力端子１に接続する。信号発生器は、従来技術の欄で説明した地上波デジタル音声放送信号ＳDBを模擬した信号ＳSUMを発生する。次に、受信機のモードに準備された工場用の自己診断モードを、動作モード選択器１２によって選択し、実行するように設定する。
【００３４】
ここで、操作キー９について説明する。操作キー９には、各種の複数のキーが含まれ、外部から操作されると当該操作に基づく信号を制御部１１へ出力する。これらのキーを接続するために、コネクタが用いられたり、半田付けがされていたりする。しかし、工場出荷の段階で、コネクタの接触不良が発生したり、半田付けの接続不良が生じたりする場合がある。かかる異常を有する受信機Ｒｘは出荷されてはならない。そのため、制御部１１は、操作キー９が正常か異常かを診断する必要がある。そこで、制御部１１は、以下に説明する操作キー９の診断フェーズを実行する。
【００３５】
１−１．操作キー９の診断フェーズ
ステップ４０２の本診断フェーズにおいて、制御部１１は、最初に、予め定められたメッセージを表示器１０に表示して、全てのキーを操作するように検査者を促す。検査者は、メッセージに応答して各キーを操作する。まずステップ４０３で検査車は操作キーのキー（１）を操作すると、操作キー９は、操作されたキー（１）を特定する信号を生成する。制御部１１は、操作キー９において操作されたキー（１）の入力を取り込む。制御部１１は、キー入力を取り込めた場合、ステップ４０４で操作されたキー（１）を識別すると、ステップ４０５で表示器１０にキー（１）はＯＫである旨表示させる。操作キー（２）についてもステップ４０６〜４０８で同様に動作し、以下同様に、制御部１１はキー（ｎ）についてステップ４０９、４１０で同様に動作して全ての操作キー９において、入力を取り込んでいるか否かを判断する。全キーの入力が取り込まれている場合、操作キー９に異常は生じていないこととなるので、ステップ４１１で全キーのＯＫを表示して、制御部１１は、本診断フェーズから抜けて、後述するステップに進む。
【００３６】
一方、全キーの入力が取り込まれていない場合、制御部１１は、本診断フェーズを続行する。ここで、全キーが操作されたにも関わらず、ステップ４０４、４０７、および４１０のいずれかでキー入力を取り込めていないと判断すると、ステップ４１２で表示器１０が該当のキーを未操作として入力待ち表示を継続する。かかるキーには、コネクタの接触不良等の異常が生じている。これによって、検査者は、表示器１０を参照すれば、どの操作キー９に異常が生じているかが分かる。これによって、検査者は、操作キー９に異常がある受信機Ｒｘの出荷を禁止し、該当キーの修理を行うこととなる。
【００３７】
１−２．安定化電源部８の診断フェーズ
ところで、チューナ２が動作する電圧の範囲は予め定められている。今、チューナ２の動作電圧の下限値をＶMIN1と仮定し、その上限値をＶMAX1と仮定する。この仮定下では、チューナ２に供給される駆動電圧Ｖｔ は、ＶMIN1＜Ｖｔ ＜ＶMAX1を満たさなければならない。同様に、デジタル信号処理部３が動作可能な電圧の下限値をＶMIN2と仮定し、その上限値をＶMAX2と仮定する。この仮定下では、駆動電圧Ｖd は、ＶMIN2＜Ｖｄ ＜ＶMAX2を満たさなければならない。低周波アンプ５に供給されるＶａについても上記と同様である。
【００３８】
しかし、駆動電圧Ｖt 、Ｖｄ またはＶａ は、ＶMIN＜Ｖｔ 、Ｖｄ、Ｖａ＜ＶMAXを満たさない場合がある。つまり、安定化電源部８または電源７、電源スイッチ等が正確な駆動電圧Ｖｔ 、Ｖｄ、Ｖａを生成できない場合がある。かかる異常を有する受信機Ｒｘもまた、工場出荷されてはならない。そこで、操作キー９の診断フェーズが終了すると、制御部１１は、安定化電源部８の診断フェーズである図５のステップ５０１に遷移する。
【００３９】
本診断フェーズでは、電圧検出器２０の検出結果が用いられる。ここで、電圧検出器２０について簡単に説明する。電圧検出器２０は、図３に示すように、スイッチ２１とＡ／Ｄ変換器２２とを有する。スイッチ２１は、安定化電源部８または電源７と接続されている。スイッチ２１は、駆動電圧Ｖt 、Ｖｄ、Ｖaの内、制御部１１が指定したものを選択的に受け取って、Ａ／Ｄ変換器２２に出力する。Ａ／Ｄ変換器２２は、入力されたアナログの駆動電圧Ｖt 、Ｖｄ、Ｖaをデジタル値に変換、つまり数値化し、制御部１１により取り込まれる。制御部１１は、まずステップ５０２で電圧検出器２０のスイッチ２１を切り替えて、駆動電圧Ｖt 、Ｖｄ、ＶaのうちＶｄを指定する。Ａ／Ｄ変換器２２は、ステップ５０３で指定された駆動電圧Ｖｄを数値化する。
【００４０】
制御部１１は、ステップ５０４で数値化された駆動電圧Ｖｄを取り込み、ＶMIN2 ＜Ｖｄ ＜ＶMAX2の不等式を満足するか否かを判断する。不等式が満たされなかった場合、制御部１１は、ステップ５０５で電圧Ｖｄの故障と判断し、ステップ５０６で「Ｖｄ  ＮＧ」のように、安定化電源部８または電源７、電源スイッチ等が生成した駆動電圧が異常である旨を表示器１０に表示させる。、
一方、ステップ５０４で上記不等式が満たされる場合、ステップ５０７で電源部Ｖｔを取込み、ステップ５０８でＶｔレベルを数値化し、ステップ５０９でＶMIN1＜Ｖｔ ＜ＶMAX1の不等式を満足するか否かを判断し、不等式が満たされなかった場合、制御部１１は、ステップ５１０で電圧Ｖｔの故障と判断し、ステップ５１１で同様に表示する。
【００４１】
制御部１１は、ステップ５１２で未選択の駆動電圧Ｖaがある場合、未選択のＶａを指定して、上記と同様にステップ５１３〜５１７の経過で本診断フェーズを続行する。このようにして、全ての駆動電圧Ｖt 、Ｖｄ、Ｖaが選択されたか否かが判断される。
【００４２】
全ての駆動電圧Ｖt 、Ｖｄ、Ｖaが選択済みの場合、ステップ５１８で、安定化電源部８は正常であるので、制御部１１は、本診断フェーズから抜けて、後述するＰＬＬ回路の診断フェーズに進む。
【００４３】
以上、本診断フェーズでは、ステップ５０４、５０９、５１５で駆動電圧Ｖt 、Ｖｄ、Ｖaが予め定められた範囲内に入っているか否かが判断される。表示器１０は、適正な範囲にない駆動電圧Ｖt 、Ｖｄ、Ｖa が検出された場合、安定化電源部８の異常を検査者に通知する。これによって、検査者は、安定化電源部８または電源７、電源スイッチ等に異常がある受信機Ｒｘの出荷を禁止し、あるいは修理することとなる。
１−３．ＰＬＬ回路１３の診断フェーズ
入力端子１には信号発生器が接続されている。信号発生器は、デジタル放送信号ＳDBの模擬信号ＳSUM を発生し出力する。模擬信号ＳSUM は、入力端子１を介してチューナ２に入力される。チューナ２において、入力された模擬信号ＳSUM が中間周波数帯の信号ＳIFにダウンコンバートされる。ダウンコンバートの際、電圧制御発振器等から局部発振出力が用いられる。局部発振出力の周波数および位相は、ＰＬＬ回路１３により調整される。つまり、局部発振出力の周波数および位相は、図示しない水晶発振器等で生成される基準信号の周波数および位相に同期させられる。
【００４４】
ＰＬＬ回路１３もまた品質検査の段階で故障している場合がある。また、発信周波数範囲のマージンが小さい場合もある。発信周波数範囲のマージンが小さい場合には周囲温度や経年変化により、いずれ故障モードになることが想定される。故障もしくはマージンの小さいＰＬＬ回路１３を有する受信機Ｒｘは出荷には不適格である。そこで、制御部１１は、図５の安定化電源部８の診断フェーズから抜けた後、図６（ａ）のＰＬＬ回路１３の診断フェーズ６０１を実行する。動作モード選択器１２によって工場用が選択されていると、ステップ６０２からステップ６０３に進む。本フェーズではＰＬＬ同期検出器１４による同期が確立されたか否かの検出結果が用いられる。ＰＬＬ同期検出器１４はＰＬＬ回路１３と接続されている。同期の確立が検出された結果がＰＬＬ同期検出器１４から出力され、制御部１１により取り込まれる。制御部１１は、一定時間ｔののち、取り込んだ検出結果に基づいて、ＰＬＬ回路１３において同期が確立されているか否かを判断する。正常と判断された場合、制御部１１は、ステップ６０３、６０５、６０７で当該デジタル放送受信機として必要な受信周波数の範囲を超えたＰＬＬデータと中央値のデータを制御部１１から送出し、一定時間後、ステップ６０４、６０６、６０８でＰＬＬ同期を確立したかどうかを見る。つまり、ＰＬＬ回路１３の発信周波数マージンがあることを確認する。図６（ｂ）にＤＡＢ受信周波数範囲の一例を示す。
【００４５】
同期が確立されている場合、制御部１１は、ＰＬＬ回路１３が正常であると診断して、本診断フェーズを終了する。制御部１１は、本診断フェーズから抜けて、次のフェーズに進む。一方、同期が未確立の場合、ＰＬＬ回路１３が異常である。そのため、制御部１１は、ステップ６０９で「ＰＬＬ  ＮＧ」のように、ＰＬＬ回路１３が異常である旨を表示器１０に表示させる。以上のように本診断フェーズによれば、ＰＬＬ回路２０が正常か異常かが診断される。これによって、検査者は、ＰＬＬ回路２０に異常がある受信機Ｒｘの出荷を禁止し、あるいは修理に回すこととなる。
【００４６】
１−４．デジタル信号処理部３の診断フェーズ
図１において、信号ＳIFはＯＦＤＭ復調器１５に入力される。ＯＦＤＭ復調器１５によって、ベースバンドの信号ＳBB、つまりＴｆが再生される。制御部１１は、ＰＬＬ回路１３の診断フェーズを抜けた後、図７のデジタル信号処理部３の診断フェーズ７０１に遷移する。本診断フェーズでは、Ｔfの同期信号が確立されたか否かを検出する。ステップ７０３で通信チェックがＯＫであり、ステップ７０４でＩＦ通信チェックがＯＫであり、ステップ７０５で割り込みチェックがＯＫであって、同期が確立された時、デジタル信号処理部３はその旨を示す検出結果を生成する。この検出結果は制御部１１により取り込まれる。
【００４７】
同期が確立されている場合、制御部１１は、本診断フェーズをから抜けて、次フェーズ（後述）に進む。また、同期が確立されない場合には、ステップ７０６で「ＬＳＩ  ＮＧ」のように、デジタル信号処理部３が異常である旨を表示器１０に表示させる。
【００４８】
１−５．受信感度の診断フェーズ
受信感度の診断フェーズ８０１において、図１のＯＦＤＭ復調器１５には、上述したように、信号ＳIFが入力される。この入力信号ＳIFがレベル低下もしくはノイズが増加していくと、デインターリーバをとおり、ビタビ復号器１８の後ろにおけるエラーレートが悪化する。ビタビ復号器１８によるこのエラーレート値は、受信機Ｒｘにおける、その時の受信電波の感度を示す。ＯＦＤＭ復調器１５において同期が確立された後に、ビタビ復号器１８により検出されたエラーレート値を所定回数取り込み、取り込んだエラーレート値の平均値が予め定められたしきい値以上か否かに基づいて、受信感度の良し悪しを診断した後このエラーレート値が基準以下の場合、受信機Ｒｘはシステムとして何らかの異常があると判断され、出荷するには不適格なものとなる。そこで、制御部１１は、受信感度の診断フェーズ８０１を実行して、ステップ８０２でエラーレート値をモニターしており、受信感度の良し悪しを検出して検査者に通知する。
【００４９】
制御部１１は、ステップ８０３でｉPRE 個のエラーレート値の平均値ＢＥＲAVEを算出する。次に、ステップ５８０４で平均値ＢＥＲAVEと基準値ＢＥＲｔｈと比較し、ステップ８０５で平均値ＢＥＲAVEが予め定められた基準値ＢＥＲｔｈより大きいか否かが判断される。基準値ＢＥＲｔｈは、受信機Ｒｘの受信感度が良いか悪いかを判定するためのしきい値である。平均値ＢＥＲAVEが基準値ＢＥＲｔｈ以下であれば、受信機Ｒｘから出力される音声には雑音が多く含まれることになるので、当該受信機Ｒｘは出荷するには不適格である。
【００５０】
ステップ８０５でＢＥＲAVE ＞ＢＥＲｔｈでない場合、制御部１１は、ステップ８０６で「ＢＥＲ  ＮＧ」のように、受信感度が悪い旨を表示器１０に表示させる。これによって、検査者は、受信感度が悪い受信機Ｒｘの出荷を禁止しあるいは修理に回すこととなる。
【００５１】
一方、ステップ８０５でＢＥＲAVE ＞ＢＥＲｔｈと判断された場合は、制御部１９は受信感度が良いと判断する。その結果、制御部１１は、操作キー９、安定化電源部８、シリアルデータ通信系統、ＰＬＬ回路１３、デジタル信号処理部３および受信機Ｒｘの受信感度に異常がないことが分かる。図示しないが、制御部１１は、「ＣＨＥＣＫ  ＯＫ」のように、受信機Ｒｘの診断結果が良好である旨を表示器１０に表示させる。
【００５２】
ステップ８０７で制御部１１は低周波アンプ５に電源７からの電圧Ｖｃｃを供給し、スピーカ９は音声を出力する。そのため、検査者は、工場用の自己診断モードの終了後に、ステップ８０８で実際に音声を聴いて、受信機Ｒｘが正常に音声を出力しているか否かを判断できる。これによって、検査者は、正常に動作する受信機Ｒｘの出荷のみを許可することができる。
【００５３】
以上の工場用の自己診断モードが終了すると、最後に、検査者は、動作モード選択器１２を操作して、受信機Ｒｘのモードを通常動作モードに設定する。この後、正常な受信機Ｒｘが出荷され、ユーザの手に渡る。
【００５４】
２．通常動作モード
ユーザは、受信機Ｒｘにより音声を楽しむ。この時、受信機Ｒｘでは通常動作モードが実行される。上述したように、工場から出荷される時、受信機の状態は、通常動作モードに設定されている。ユーザは操作キー９のみ操作することにより、制御部１１に指示を与え、表示器１０もしくはスピーカ６からの音声によって受信機Ｒｘの状態を知りうる。
【００５５】
並行して、制御部１１は、ユーザが受信機Ｒｘを上記通常動作モードで使用中にも自己診断を行い故障箇所のモニタを続行する。ここで、通常動作モード中、安定化電源部８、シリアルデータ通信系統、ＰＬＬ回路１３、デジタル信号処理部３に異常が発生した場合には、ただちに制御部１１はその異常箇所の「＊＊＊＊  ＮＧ」のような上述メッセージを表示器１０に表示させる。また、受信感度のエラーレートについては、ユーザが簡易的に確認できるための表示内容を表示器１０に搭載することができる。
【００５６】
３．サービス用の自己診断モード
上述したように、工場用の自己診断モードでは、高精度な品質検査が要求されるため、信号発生器の模擬信号ＳSUMが用いられていた。しかし、信号発生器は高価である。そのため、サービスセンタ等によっては信号発生器を持っていない場合もある。そこで、受信機Ｒｘは、故障個所を自己診断するためのサービス用の自己診断モードにおいて、地上ＤＡＢアンテナから実際に送出されるデジタル放送信号ＳDBを用いる。以下、サービス用の自己診断モードを詳細に説明する。ただし、工場用の自己診断モードとは互いに同様の箇所もある。そのため、以下の説明において、工場用のものと同様の処理については簡単に説明する。
【００５７】
サービスセンタ等の検査者は、受信機Ｒｘを検査するための準備を行う。まず、付属アンテナ以外の図示しないオプションアンテナが入力端子１に接続される。検査者は、サービス用の自己診断モードを実行するように、動作モード選択器１２により、動作モードを設定する。
【００５８】
以上の準備が整うと、制御部１１は、現在実行すべきモードがサービス用の自己診断モードであることを知り、実行する。
【００５９】
上述したように、デジタル放送信号ＳDBの占有周波数帯域は地域毎で異なる。そのため、受信機Ｒｘがデジタル放送信号ＳDBを用いて故障個所を自己診断する場合、検査者は、受信エリア、つまり受信機Ｒｘが受信すべき周波数帯域を入力する必要がある。図６（ａ）においてステップ６０２でサービス用が選択されると、ステップ６１０で操作キーで地域を選択する。また、デジタル放送信号ＳDBには、予め定められたｎサービス分のオーディオデータが多重される。そのため、検査者は、本受信機Ｒｘに本診断モードを実行させるために、いずれかのサービスを選択し、入力する必要がある。そのため、検査者は、操作キー９を操作して、受信エリアおよびサービスを指定する。操作キー９は、受信エリアを特定する信号ＳAREA、およびサービスを特定する信号ＳSEを生成する。
【００６０】
制御部１１は、まず最初に、操作キー９により生成された信号ＳAREAおよび信号ＳSEを取り込む。信号ＳAREAおよび信号ＳSEは、制御部１１の記憶領域に保持される。なお、信号ＳAREAは、後述するＰＬＬ回路１３の診断フェーズで用いられる。また、信号ＳSEは、後述するデジタル信号処理３の診断フェーズで用いられる。
【００６１】
３−１．操作キー９の診断フェーズ
サービス用の自己診断モードにおいても、上述の図４の工場用のものと同じであり、本診断フェーズの説明は省略する。本診断フェーズにより、表示器１０は、受信機Ｒｘにおいて、操作キー９が故障していることを検査者に通知することができる。
【００６２】
３−２．安定化電源部８の診断フェーズ
操作キー９に異常が検出されなかった場合、工場用の自己診断モードと同様に、本診断フェーズに遷移する。本診断フェーズでは図５の工場用のものと同様の処理が行われるので、本診断フェーズの説明は省略する。本診断フェーズにより、表示器１０は、受信機Ｒｘにおいて、安定化電源部８が故障していることを検査者に通知することができる。
【００６３】
３−３．ＰＬＬ回路１３の診断フェーズ
安定化電源部８に異常が検出されなかった場合、本診断フェーズに遷移する。サービス用の自己診断モードでは、サービスエリアに向けて実際に送信されるデジタル放送信号ＳDBが用いられる。そのため、本診断フェーズは、工場用の自己診断モードにおけるそれとは異なる。
【００６４】
検査者は、この項の最初に述べたように図６（ａ）のステップ６１０で、受信エリアが入力しているので、制御部１１は、上述の記憶領域に保持された信号ＳAREAに基づいて、ステップ６１１で周波数制御データＤFREQを生成する。前述のように、受信機Ｒｘには地上波デジタル音声放送信号ＳDBが現在供給されている。デジタル放送信号ＳDBは、受信エリアに割り当てられた周波数ｆｃ２のキャリアがトランスミッションフレームでＯＦＤＭ変調されたものである。そのため、デジタル放送信号ＳDBは、周波数ｆｃ２を中心周波数とする占有周波数帯Ｂｃ２に含まれる。制御部１１は、生成した周波数制御データＤFREQを送出して、チューナ２の受信周波数帯を占有周波数帯Ｂｃ２に設定する。これによって、チューナ２はデジタル放送信号ＳDBの受信を開始する。
【００６５】
以降、制御部１１は、図６（ａ）の工場用の自己診断モードと同様に、本診断フェーズを実行する。ＰＬＬ回路１３の異常が検出された場合、表示器１０はその旨を検査者に通知する。これによって、検査者は、受信機Ｒｘにおいて、ＰＬＬ回路１３に異常があることを知ることができる。
【００６６】
３−４．デジタル信号処理部３の診断フェーズ
ＰＬＬ回路１３に異常が検出されなかった場合、制御部１１は、デジタル信号処理部のフレーム同期の診断フェーズに遷移する。本診断フェーズは、工場用の図７とのものと同じであり、本診断フェーズの説明は省略する。本診断フェーズにより、表示器１０は、デジタル信号処理部３においてフレーム同期処理に異常が発生していることを検査者に通知することができる。
【００６７】
３−５．受信感度の診断フェーズ
デジタル信号処理部３のフレーム同期処理に異常が検出されなかった場合、制御部１１は、受信感度の診断フェーズに遷移する。本診断フェーズは、工場用の図８のものと同じで、本診断フェーズの説明は省略する。本診断フェーズにより、表示器１０は、受信感度が異常であることを検査者に通知することができる。この場合に注意しなければならないことは、受信電波の環境が保証されている場所で行うことである。受信感度の正常か異常かは、性能保証されているリファレンスとなる受信機と比較し、異常を判断することが好ましい。
【００６８】
また、受信感度が正常の場合、受信機Ｒｘには、操作キー９、安定化電源部８、シリアルデータ通信系統、ＰＬＬ回路１３、デジタル信号処理部３、および受信機Ｒｘの受信感度に異常が発生していないことが分かる。この場合、表示器１０は、受信機Ｒｘの診断結果が良好である旨を表示器１０に表示する。これによって、検査者は、受信機Ｒｘが正常であることを知ることができる。
【００６９】
以上のサービス用の自己診断モードにより、検査者は、受信機Ｒｘのどこが故障しているかを知ることができる。発見された故障個所が修理された後、動作モード選択器１２が操作され、受信機Ｒｘのモードが通常動作モードに設定される。そして、修理された受信機Ｒｘは、ユーザに返される。
【００７０】
以上説明したように、受信機Ｒｘは、必要に応じて、２種類の自己診断モードを実行する。いずれの自己診断モードにおいても、受信機Ｒｘの制御部１１は、当該受信機Ｒｘを構成する各部が正常か異常かを診断する。つまり、受信機Ｒｘは自己診断を行う。これによって、品質検査または故障個所の検査における、検査者の作業負担が軽くなる。さらに、制御部１１は、自身の処理手順における、各判断ステップにより、構成各部が正常か異常かを確実に判断することができる。
【００７１】
また、受信機Ｒｘは、信号発生器を接続できるように構成されている。工場用の自己診断モードでは、信号発生器からの模擬信号ＳSUMが用いられる。これによって、厳格な検査が要求される工場出荷段階の品質検査に対応することができる受信機Ｒｘを提供することができる。
【００７２】
さらに、サービス用の自己診断モードでは、地上ＤＡＢアンテナから送出されたデジタル放送信号ＳDBを用いることができる。これによって、サービスセンタ等は、高価な信号発生器を使うことなく、故障個所を手軽にかつ確実に発見することができる。
【００７３】
なお、サービスセンタ等が信号発生器を有する場合には、故障個所を発見するためであっても、工場用の自己診断モードが実行されても良い。
【００７４】
また、以上の実施形態では、表示器１０が検査者に受信機Ｒｘの異常箇所を通知していた。しかし、スピーカ６が、音声によって、受信機Ｒｘの異常箇所を通知することも容易である。つまり、制御部１１の診断結果を検査者に通知する構成（請求項における通知部）であれば、受信機Ｒｘがどのような構成を含んでいても構わない。
【００７５】
また、以上の実施形態では、両診断モード共に、操作キー９、安定化電源部８、ＰＬＬ回路１３、デジタル信号処理部３のフレーム同期処理、受信感度の順番で、異常の有無が診断されていた。これは好ましい例であり、この手順のみに限定解釈されるべきではない。
【００７６】
さらに、以上の実施形態において、動作モード選択器は、工場用の自己診断モード、サービス用の自己診断モードへの切り換えはユーザの目に触れない隠しスイッチを用いても良い。
【産業上の利用可能性】
【００７７】
以上説明したように、本発明の自己診断機能を有するＤＡＢ受信機によれば、工場出荷の直前の品質検査を短い作業時間で正確に行うことができ、また、ユーザが使っている最中に故障したとき、サービスセンタにおける受信機の故障個所発見のための動作状態検査を短い作業時間で正確に行うことができる。
【００７８】
またサービスセンタにおける検査において、高価な信号発生器を使用しなくても動作状態を診断することができるなど、産業上の利用可能性の高いものである。
【図面の簡単な説明】
【００７９】
【図１】本発明の一実施形態に係る受信機Ｒｘの全体構成を示すブロック図
【図２】トランスミッションフレームのデータ構造を示す図
【図３】図１の電圧検出器の構成を示すブロック図
【図４】制御部が実行する操作キーの診断フェーズの処理手順を示すフローチャート
【図５】制御部が実行する安定化電源部の診断フェーズの処理手順を示すフローチャート
【図６】（ａ）制御部が実行するＰＬＬ回路の診断フェーズの処理手順を示すフローチャート（ｂ）ＤＡＢ受信機の周波数範囲を示す図
【図７】制御部が実行する信号処理部の処理手順を示すフローチャート
【図８】制御部が実行する受信感度の診断フェーズの処理手順を示すフローチャート
【符号の説明】
【００８０】
１    アンテナ入力端子
２    チューナ
３    デジタル信号処理部
４    Ｄ／Ａ変換器
５    低周波アンプ
６    スピーカ
７    電源
８    安定化電源部
９    操作キー
１０    表示器
１１    制御部
１２    動作モード選択器
１３    ＰＬＬ回路
１４    ＰＬＬ同期検出器
１５    ＯＦＤＭ復調器
１６    デインタリーバ
１７    ビタビ復号器
１８    ＣＨ復号器
１９    ＭＰＥＧ復号器
２０    電圧検出器
２１    Ａ／Ｄ入力スイッチ
２２    Ａ／Ｄ変換器
【図１】
2005192066.tif 000003
【図２】
2005192066.tif 000004
【図３】
2005192066.tif 000005
【図４】
2005192066.tif 000006
【図５】
2005192066.tif 000007
【図６】
2005192066.tif 000008
【図７】
2005192066.tif 000009
【図８】
2005192066.tif 000010